【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
少なくとも一つのユーザ端末に対してサービスを提供する無線通信システムにおいて複数のアナログビームを生成する複数のアンテナを備えるリモート無線ヘッドであって、
各々のＲＦチェーン（Radio Frequency Chain：無線周波数チェーン）の信号を用いることにより、空間方向の関数としてトラフィック需要を示す少なくとも一つのメトリック(metric)を計算するよう構成されたメトリック計算器(metric calculator)と、
前記少なくとも一つの計算されたメトリックに基づいて決定される空間方向に向けてアナログビームを生成するように構成されたビーム成型器（beam former）と、
を含むリモート無線ヘッド。
【請求項２】
前記メトリック計算器は、前記各々のＲＦチェーンに入力された下り方向のデジタル信号又は前記各々のＲＦチェーンに入力された上り方向のアナログ信号を用いて、前記メトリックを計算するよう構成された請求項１に記載のリモート無線ヘッド。
【請求項３】
前記メトリック計算器は、前記各々のＲＦチェーンから出力された上り方向のデジタル信号又は前記各々のＲＦチェーンから出力された下り方向のアナログ信号を用いて、前記メトリックを計算するよう構成された請求項１に記載のリモート無線ヘッド。
【請求項４】
前記メトリック計算器は、前記各々のＲＦチェーン内部を流れる信号を用いて、前記メトリックを計算するよう構成された請求項１に記載のリモート無線ヘッド。
【請求項５】
前記メトリック計算器は、前記各々のＲＦチェーンの前記信号から測定された電力レベルを用いて、前記メトリックを計算するよう構成された請求項１から４のいずれか一に記載のリモート無線ヘッド。
【請求項６】
前記メトリック計算器は、デジタル領域での前記各々のＲＦチェーンの前記信号から測定された電力レベルを用いて、前記メトリックを計算するよう構成された請求項１又は５に記載のリモート無線ヘッド。
【請求項７】
前記メトリック計算器は、アナログ領域での前記各々のＲＦチェーンの前記信号から測定された電力レベルを用いて、前記メトリックを計算するよう構成された請求項１又は５に記載のリモート無線ヘッド。
【請求項８】
前記ビーム成型器は、決定された組から前記トラフィック需要に合致する候補ビームのサブセットを選択するよう構成された請求項１から７のいずれか一に記載のリモート無線ヘッド。
【請求項９】
前記ビーム成型器は、前記トラフィック需要と、方位角方向と仰角方向との両方におけるユーザの分布と、に合致する候補ビームの前記サブセットを選択するよう構成された請求項８に記載のリモート無線ヘッド。
【請求項１０】
前記メトリック計算器は、前記計算された現在の空間方向のメトリックと、前記現在の空間方向を除いた以前に計算された空間方向のメトリックとを比較するよう構成された請求項１から９のいずれか一に記載のリモート無線ヘッド。
【請求項１１】
前記メトリック計算器は、前記比較の結果に基づいて、アップリンクとダウンリンクの少なくとも一方における好ましい空間方向を決定するよう構成された請求項１０に記載のリモート無線ヘッド。
【請求項１２】
前記計算された、各々の空間方向に対するメトリックを格納するストレージをさらに有する請求項１から１１のいずれか一に記載のリモート無線ヘッド。
【請求項１３】
少なくとも一つのユーザ端末に対してサービスを提供する無線通信システムにおいて複数のアナログビームを生成する複数のアンテナを備えるリモート無線ヘッドにより実行されるビームフォーミング方法であって、
各々のＲＦチェーン（Radio Frequency Chain：無線周波数チェーン）の信号を用いることにより、空間方向の関数としてトラフィック需要を示す少なくとも一つのメトリック(metric)を計算し、
前記少なくとも一つの計算されたメトリックに基づいて決定される空間方向に向けてアナログビームを生成する、ことを含むビームフォーミング方法。
【請求項１４】
少なくとも一つのユーザ端末に対してサービスを提供する無線通信システムにおいて複数のアナログビームを生成する複数のアンテナを備えるリモート無線ヘッドに埋め込まれたコンピュータにより実行されるプログラムであって、
各々のＲＦチェーン(Radio Frequency Chain：無線周波数チェーン）の信号を用いることにより、空間方向の関数としてトラフィック需要を示す少なくとも一つのメトリック(metric)を計算し、
少なくとも一つの計算されたメトリックに基づいて決定される空間方向に向けてアナログビームを生成する、
ことを前記コンピュータに実行させるためのプログラム。
【手続補正２】
【補正対象書類名】明細書
【補正対象項目名】発明の名称
【補正方法】変更
【補正の内容】
【発明の名称】リモート無線ヘッド、ビームフォーミング方法及びプログラム
【手続補正３】
【補正対象書類名】明細書
【補正対象項目名】０００１
【補正方法】変更
【補正の内容】
【０００１】
本発明は、リモート無線ヘッド（ＲＲＨ：Ｒｅｍｏｔｅ  Ｒａｄｉｏ  Ｈｅａｄ）と、ビームフォーミング方法及びそのプログラムに関する。特に通信量の需要を推定するためのリモート無線ヘッド、ビームフォーミング方法及びプログラムに関する。
【手続補正４】
【補正対象書類名】明細書
【補正対象項目名】００１５
【補正方法】変更
【補正の内容】
【００１５】
第三の視点では、少なくとも一つのユーザ端末に対してサービスを提供する無線通信システムにおいて複数のアナログビームを生成する複数のアンテナを備えるリモート無線ヘッドに埋め込まれたコンピュータにより実行されるプログラムを格納した記憶媒体であって、
各々のＲＦチェーン(Radio Frequency Chain)の信号を用いることにより、空間方向の関数としてトラフィック需要を示す少なくとも一つのメトリック(metric)を計算し、
少なくとも一つの計算されたメトリックに基づいて、高トラフィック需要の空間方向に向けアナログビームを生成する、ことを前記コンピュータに実行させるためのプログラムが提供される。前記プログラムはコンピュータが読みだすことのできる記憶媒体に記録されたものであってもよい。当該記憶媒体は、半導体記憶装置、ハードディスク、磁気的記憶媒体や、光学的記憶媒体などの不揮発性記憶媒体であってもよい。本発明はコンピュータのプログラム製品として具現化されているものであってよい。
【手続補正５】
【補正対象書類名】明細書
【補正対象項目名】００６１
【補正方法】変更
【補正の内容】
【００６１】
【数２】
2020536448.tif 000001
2020536448.tif 000002
はｌ番目のサブアレイ１１１ａの空間方向
2020536448.tif 000003
のアナログビームフォーミングによる受信信号から推定された電力レベルのメトリックを表している。ここに、
2020536448.tif 000004
と、
2020536448.tif 000005
は、それぞれｂ番目のビームの方向の方位角と仰角である。
ｂｍａｘ，ｌは、ｌ番目のサブアレイ１１１ａのアナログビームフォーミングのビーム方向の候補のインデックス（γｌ（φｂ, θb）の最大値を与える引数ｂ）を示している。
Ｉｌ（ｎ）とＱｌ（ｎ）は、時刻ｎにおけるＲＦチェーン＃ｌのデジタル信号の同位相と直交位相との成分である。なお、メトリックを計算するために電力レベルを使用しているのは、単に説明を簡単とするためである。リモート無線ヘッド１１における動作Ｓ１１３からＳ１１５は、前述しているため、詳細な説明は、簡潔さのためにここでは省略する。
【手続補正６】
【補正対象書類名】図面
【補正対象項目名】図９
【補正方法】変更
【補正の内容】
【図９】
2020536448.tif 000006